(57)【特許請求の範囲】
【請求項１】
番組検索情報を編集する方法であって：
前記番組のある場面の記述情報であって前記場面の記述情報および前記場面内の少なくとも一つの場面要素の記述の両方を含む情報を取得する段階と；
前記記述情報に従って場面検索情報ユニットを生成する段階とを有し、
前記番組は光ディスク番組であり、当該方法は：
前記光ディスク番組の検索において使うために、前記場面検索情報ユニットを含めることによって、前記記述情報を含む光ディスク・プレイリスト・ファイルを編集する段階を有し、前記場面検索情報ユニットは前記場面の記述情報および前記場面内の前記少なくとも一つの場面要素の前記記述の両方を含む、
方法。
【請求項２】
当該方法が、検索情報についてのマーク型を定義し、前記マーク型のマークを前記プレイリスト・ファイルに含める段階を有し、前記マークは対応する場面の記述情報を含む、請求項１記載の方法。
【請求項３】
前記場面の前記記述情報が、前記場面のアドレス情報および前記場面の時間情報のうち少なくとも一つを含む、請求項１または２記載の方法。
【請求項４】
前記場面検索情報ユニットが、該情報ユニットのマーク型、対応する場面の記述情報のうち少なくとも一つを含む、請求項２記載の方法。
【請求項５】
前記場面要素の前記記述が、該場面要素の名前、該場面要素の数、該場面要素の種類および該場面要素の状態のうち少なくとも一つを含む、請求項１または２記載の方法。
【請求項６】
光ディスクに書き込むための書き込み手段および；
番組検索情報を編集する編集手段とを有する光学式書き込み装置であって：
前記編集手段は：
前記番組のある場面の記述情報であって該場面の記述情報および該場面内の少なくとも一つの場面要素の記述の両方を含む情報を取得する取得手段と；
前記記述情報に従って場面検索情報ユニットを生成する生成手段とを有し、
前記番組は光ディスク番組であり、
前記編集手段は、前記光ディスク番組の検索において使うために、前記場面検索情報ユニットを含めることによって、前記記述情報を含む光ディスク・プレイリスト・ファイルを編集するよう構成されており、
前記書き込み手段は前記光ディスク番組および前記光ディスク・プレイリスト・ファイルを前記光ディスク上に書き込むよう構成されており、
前記場面検索情報ユニットは前記場面の前記記述情報および前記場面内の前記少なくとも一つの場面要素の前記記述の両方を含む、
光学式書き込み装置。
【請求項７】
前記編集手段が、検索情報についてのマーク型を定義し、前記マーク型のマークを前記プレイリスト・ファイルに含めるよう構成されており、前記マークは対応する場面の記述情報を含む、請求項６記載の装置。
【請求項８】
前記場面の前記記述情報が、前記場面のアドレス情報および前記場面の時間情報のうち少なくとも一つを含む、請求項６または７記載の装置。
【請求項９】
前記場面検索情報ユニットが、該情報ユニットのマーク型、対応する場面の記述情報のうち少なくとも一つを含む、請求項７記載の装置。
【請求項１０】
前記場面要素の前記記述が、該場面要素の名前、該場面要素の数、該場面要素の種類および該場面要素の状態のうち少なくとも一つを含む、請求項６または７記載の装置。
【請求項１１】
前記番組を受領するための受領手段をさらに有する、請求項６または７記載の装置。
【請求項１２】
場面検索情報ユニットを含む光ディスク・プレイリスト・ファイルを含む光記憶媒体から光ディスク番組を読み取る手段を有する光ディスク読み取り装置であって、前記場面検索情報ユニットは前記番組のある場面の記述情報を含み、前記記述情報は前記場面の記述情報および前記場面内の少なくとも一つの場面要素の記述を含み、当該装置は：
前記場面検索情報ユニットを含む前記光ディスク・プレイリスト・ファイルを介して前記光ディスク番組の検索をする検索手段であって、前記場面検索情報ユニットは前記場面の前記記述情報および前記場面内の前記少なくとも一つの場面要素の前記記述の両方を含む、検索手段を有しており、
前記読み取る手段は、前記光ディスク上の前記光ディスク・プレイリスト・ファイルを読み取るよう構成されている、
装置。
【請求項１３】
前記検索手段が、検索情報について定義されているマーク型に従って前記プレイリスト・ファイルから読まれるマークを使うよう構成されており、前記プレイリスト・ファイル中の前記マーク型のマークは対応する場面の記述情報を含む、請求項１２記載の装置。
【発明の詳細な説明】
【技術分野】
【０００１】
本発明は、光記憶の分野に、具体的には番組検索情報を編集する方法および装置に関する。
【背景技術】
【０００２】
光記憶技術の発達とともに、光ディスクおよびそれを再生する製品は一般化した娯楽製品となるに至っている。パーソナル化およびネットワーク化は、現在の光記憶開発の二つの重要な方向となっている。たとえば、ブルーレイ光ディスクフォーマットに導入されたJava（登録商標）アプリケーションプログラムは、ユーザーが自分で好みの操作インターフェースを設計することを許容する。ネットワークに接続できる向上された型のDVD光ディスクフォーマットと比べ、ブルーレイ光ディスクフォーマットはネットワーク接続のためのより強力な機能を有している。
【０００３】
光ディスク再生機能の実現は、たいてい、光ディスク再生装置は光ディスク番組（program）を検索（search）できるということに基づいて確立されている。たとえば、ユーザーが種々の番組およびチャプターを選択的に再生できる理由は、メニューナビゲーションのもとで、種々の番組およびチャプターの記述情報が編集されてあって、光ディスク検索情報として管理されているということである。たとえば、検索のための番組またはチャプターのサムネイル画像に編集されるのである。したがって、向上された光ディスク再生機能を実現するためには、光ディスク番組のための向上した検索が必要とされている。
【０００４】
向上された検索は、ユーザーが特定の俳優、場所または場面中のその他の要素を検索キーワードとして使って、該特定の俳優または特定の場所を含むすべての場面を検索することを許容する。従来のチャプターまたはセクションのみの検索に比べ、向上された検索はより豊かな検索キーワードを有し、ずっと低い検索レベルに開かれている。よって、光ディスク再生の対話的実行などといった、より強力な再生機能をサポートできる。
【０００５】
従来式の光検索では、検索情報はファイルシステム（たとえばメニューファイル）において、またはプレイリスト・ファイルにおいて定義されている。光ディスク番組の検索が実現されるのは、光ディスク再生制御ファイルが、キーワード情報（番組名、チャプター、セクションなどのような）をポインタとして検索することによって、前記メニューファイルまたは前記プレイリスト・ファイルを通じて、検索されるべき対応するオブジェクトの記述情報（時間、アドレスなどのような）を含む他のファイルにアクセスするようガイドされるときにのみである。
【０００６】
向上された検索のためには、検索レベルがより低く、各場面に精密であるため、キーワード情報が検索されるか各場面の記述情報が検索されるかにかかわらず、情報の量は大きい。検索する情報の量が大きいことは、もともと複雑な従来検索プロセスを一層複雑にし、その一方、前記情報がメニューファイルをもつファイルシステム中に置かれている場合、ファイルシステムの管理に何らかの困難をもたらす。
【０００７】
したがって、光ディスク番組の向上された検索を単純なプロセスをもって実現するよう、番組検索情報を編集する方法および装置を提供する必要がある。
【発明の開示】
【発明が解決しようとする課題】
【０００８】
本発明によって解決されるべき技術的問題は、従来技術に存在する問題を克服するよう、番組検索情報を編集するための方法および装置を提供することである。
【課題を解決するための手段】
【０００９】
本発明のある実施形態によれば、番組検索情報を編集する方法が提供される。該方法は：前記番組のある場面の、場面要素（scene  element）に対する記述を含む記述情報（descriptive  information）を取得する段階と；前記記述情報に従って場面検索情報ユニットを生成する段階と；前記番組の検索において使うために、前記場面検索情報ユニットに従って検索情報ファイルを編集する段階とを有する。
【００１０】
上述した方法では、前記場面検索情報ユニットは、該検索情報ユニットのタイトル、対応する場面の記述、対応する場面における前記要素の記述などを含んでいてもよい。ここで、検索情報ファイルは検索情報リストであってもよい。
【００１１】
本発明のある実施形態によれば、番組検索情報を編集する装置が提供される。該装置は：前記番組のある場面の、場面要素に対する記述を含む記述情報を取得する取得手段と；前記記述情報に従って場面検索情報ユニットを生成する生成手段と；前記番組の検索において使うために、前記場面検索情報ユニットに従って検索情報ファイルを編集する編集手段とを有する。
【００１２】
本発明の他の目的および成果は、付属の図面とともに以下の記述および請求項を参照することによって明らかとなり、十全に理解されるであろう。
【００１３】
実施例によって、本発明について図面を参照しつつさらに詳細に説明する。
【００１４】
図面を通じて、同じ参照符号は同じ、同様または対応する特徴または機能を表す。
【発明を実施するための最良の形態】
【００１５】
本発明の企図は次のとおりである：単純な向上された検索を実現するために、光ディスク番組が光ディスク上に保存されるときに、あるいは光ディスク番組がオフラインで編集されるときに、該光ディスク番組の場面の記述情報に従って、前記場面の記述および前記場面の諸要素の記述を含む検索情報ユニットが生成される。次いで、前記検索情報ユニットが、向上された光ディスク検索において使用するための検索情報ファイル（たとえば情報リストファイル）に編集される。この解決策により、場面のキーワード情報および記述情報ならびに場面要素の記述情報の検索が統一され、検索されるべき情報として検索のために直接使用される。このため、従来式のメニュー検索などを使うことによるファイルの検索とは異なり、検索においてもはやポインタ情報は必要とされず、よって向上された検索のプロセスは単純化される。
【００１６】
図１は、本発明に基づく番組検索情報を編集する方法のフローチャートである。この実施形態は、光ディスク番組のオンライン書き込み（inscribing）を例として取る。光ディスクに書き込むとき、光ディスク書き込み装置はまず、書き込まれるべき光ディスク番組をネットワークまたはその他の記憶媒体から受領する（ステップＳ１１０）。もちろん、書き込まれるべき番組は、光ディスク書き込み装置の記憶ユニット内にすでに保存されていることもできる。
【００１７】
次いで、光ディスク番組データにおける場面および該場面における諸場面要素の記述情報が取得される（ステップＳ１２０）。光ディスク番組は複数の場面を含む。したがって、光ディスク番組データは複数の場面データを含み、そのそれぞれが場面全体に関するデータと場面の各要素に関するデータの両方を含んでいる。前記データに基づいて、場面全体および場面の各場面要素の記述情報が取得できる。たとえば、時間記述情報、アドレス記述情報、特定の場面または特定の要素の名前情報、他の場面または場面要素に関連する情報、場面要素の状態情報、場面要素の型および数の情報などである。前記記述情報は、光ディスク再生装置が、将来の光ディスク再生の際に、さまざまな検索キーワードを通じて場面および場面要素を検索できるようにする。
【００１８】
その後、検索情報ユニットが、取得された記述情報に従って生成される（ステップＳ１３０）。生成された検索情報ユニットは、検索情報ユニットの名前、対応する場面の名前、対応する場面の記述情報（時間、アドレスなどのような）、対応する場面の要素の記述情報（場面の名前、俳優の衣装およびスポット記述のような）を有する。
【００１９】
次に、生成された検索情報ユニットは、検索情報ファイル（たとえば情報リスト）に編集される（ステップＳ１４０）。検索情報ファイルは、検索のためのさまざまな検索情報ユニットを含む別個の検索情報リスト・ファイルであってもよいし、あるいは検索のためのプレイリスト・ファイルに含まれる検索のための一部またはセグメントであってもよい。
【００２０】
最後に、番組および検索情報ファイルが光ディスク上に保存される（ステップＳ１５０）。検索情報ファイルを生成するためのそのような方法は、光ディスクを編集および公開する（publish）プロセスに適用されることもできるし、あるいは書き換え可能ディスクに適用されることもできる。書き換え可能ディスクに関する限り、光ディスク番組が光ディスク上に保存されたあと、該光ディスク番組はオフライン編集される。
【００２１】
上記の方法によれば、場面および該場面の諸要素に対応する記述情報が対応する検索データユニットに含められ、編集されて、向上された検索のための該光ディスクの検索情報ファイルにされる。光ディスクを再生するとき、ユーザーは特定の場面要素（俳優の名前などのような）を検索キーワード情報として使って、光ディスク中の情報ファイルを直接に検索できる。こうして、光ディスク番組の向上された検索が実現される。
【００２２】
図２は、本発明に基づく番組検索情報を編集するための装置２００のブロック図である。装置２００は、番組の場面の、場面要素の記述を含む記述情報を取得するための取得手段２１０を有している。前記場面には、たとえば、前記番組またはチャプターの場面通し番号、場面要素（人、場所など）の名前および各場面要素の状態の記述情報などが含まれる。
【００２３】
装置２００はさらに、前記記述情報に従って場面検索情報ユニットを生成するための生成手段２２０を有する。これは、前記場面要素を検索キーワードとして使う情報を含む。ある場面に対応して検索情報ユニットが生成され、該情報ユニットは該検索情報ユニットの名前、対応する場面の名前、対応する場面の記述情報（時間、アドレス、データ量など）および対応する場面の要素の記述情報（俳優の名前および衣装ならびに場面の場所の説明などのような）を含む。
【００２４】
装置２００はさらに、前記場面検索情報ユニットに従って前記光ディスク番組の検索において使うための検索情報ファイルを編集する編集手段２３０を有する。各場面に対応する検索情報ユニットが一緒に編集されて、検索情報ファイルを形成する。あるいは、前記場面検索情報ユニットは、入手できる検索情報ファイルに追加されることもできる。すなわち、検索情報ファイルは開かれており、更新可能である。前記検索情報リスト・ファイルは複数の場面検索ユニットを含むことができる。
【００２５】
装置２００は、光ディスク書き込み装置内に含まれることができる。装置２００を含む光ディスク書き込み装置は、光ディスク上に書き込まれるべき光ディスク番組を受け取るための、光ディスク番組受領装置をも含むことができる。
【００２６】
以下では、本発明は、書き換え可能なブルーレイ光ディスクの光ディスク番組の向上された検索を可能にする例を取って説明する。
【００２７】
表１は、本発明に基づくブルーレイ光ディスクの検索情報を含む光ディスク・プレイリスト・ファイルである。表１の外側のブレース｛｝内に示されている部分は、本発明に基づく光ディスク検索情報リストの内容であり、本実施形態では、光ディスク・プレイリスト・ファイルにおける光ディスク・プレイリストマークのリストのあるセグメントに含まれるものとしてリストされている。もちろん、独立したファイルであってもよい。
【００２８】
表１に示されるように、光ディスク・プレイリストマークのリストにおいて、情報を検索するための新たなマーク型が本発明に基づいて定義される。該マーク型は、本実施形態では、向上された検索マークとして定義される。そのような型のマークでは、マークの名前（mark  name）、マークにおける記述情報（マークメタデータ［mark  metadata］）および時間情報が含められる。もちろん、何らかのサムネイル画像のポインタ情報およびメーカー（maker）の情報をも含むこともできる。ここで、マークにおける記述情報は、対応する特定の場面の記述情報、該場面における要素の記述情報などを含む。
【００２９】
一般的に、場面検索情報ユニットのような検索マークはある場面に対応し、よってプレイリストマークのリストのファイルは、多くの場面に対応する検索マークを含むことができる。その一方、各検索マークは場面の記述情報および該場面内の多くの要素の記述情報の両方を含む。他方、プレイリストマークのリストの前記ファイルは拡張可能である、すなわち、編集者またはユーザーの必要性に応じて、該場面および該場面の要素の記述情報がそこに追加されることができる。あるいは新たに選択された場面の記述が追加されることなどもできる。
【００３０】
表１：ブルーレイ光ディスクの検索情報を含む光ディスク・プレイリスト・ファイル
【００３１】
【表１】
0005522896.tif 000002
従来式の諸技法では、通例表１で６つのマーク型しかない。それは、プレイリストのピクチャーから選択されるピクチャーの表現ピクチャー・マーク（representative  picture  mark）、プレイリストのピクチャーから選択されないピクチャーの表現ピクチャー・マーク、レジューム・マーク、ブック・マーク、チャプター・マークおよびスキップ・スタート・マークである。上述の６つのマークは、従来式の検索情報として使われることもできるが、前記６つの型の情報は再生制御において従来式の検索しかサポートできない。他方、上記の６つの型のマーク情報によってなされる簡単な検索は、検索されるべきオブジェクトの記述情報を含む他のファイルによってしか実現できない。
【００３２】
本発明において定義される検索マーク情報は、場面要素に対して精密である記述情報を含むのみならず、それらの記述情報は直接的に検索マークに編集されている。検索マークによって、簡単な向上された光ディスク検索が直接に実現できる。本発明によれば、場面に対応する検索マーク情報は、上記の光ディスク・プレイリスト・ファイルにおいてリストされる代わりに、別個に、光ディスク検索マーク情報ファイルに編集されることができる。
【００３３】
表２は、光ディスク検索情報ファイルの概略的な表である。光ディスク番組において、エディターは場面１、場面２、場面３などを向上された検索のための場面として選択する。各場面は、俳優の名前、場所、俳優の衣装などといった、さまざまな場面要素を含んでいる。ある場面（表２における、一つの場面に対応する場面要素の記述の行において示されるような）についての検索情報ユニットを決定することによって、そして検索キーワードとしてある場面要素を使うことによって、前記場面の検索が実現できる。たとえば、俳優Ａの名前が検索キーワードとして使われると、場面１および場面３が直接見出されることができる。一方、場所、広州が検索キーワードとして使われると、場面３および場面４が見出されることができる。
【００３４】
表２：光ディスク検索情報ファイルの概略的な表
【００３５】
【表２】
0005522896.tif 000003
光ディスクプログラムの向上された検索に対応して、対応する向上された検索インターフェースがユーザーに提供される必要がある。従来式方法に従って対応するユーザー検索インターフェースは設計できるが、向上された検索の検索キーワード情報は、場面中の要素まで詳細であることに関して、ずっと豊かである。このようにして、場面中の要素に基づいて場面を検索する機能が提供される。
【００３６】
本発明について個別的な実施形態との関連で記載してきたが、以上の記載に照らせば、当業者には数多くの代替、修正および変形が明白であろうことは明らかである。したがって、付属の請求項の精神および範囲内にはいる限り、そのようなすべての代替、修正および変形を包含することが意図されている。
【図面の簡単な説明】
【００３７】
【図１】本発明に基づく番組検索情報を編集する方法のフローチャートである。
【図２】本発明に基づく番組検索情報を編集する装置のブロック図である。
【図１】
0005522896.tif 000004
【図２】
0005522896.tif 000005